【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
車両による１つ又は複数の設備における活動の遠隔監視のための監視システムであって、
プログラムメモリとプロセッサとを含む、前記プログラムメモリが、そこに格納された命令を実行するために前記プロセッサによりアクセス可能な監視ユニットと、
前記車両と同一場所に配置される遠隔装置と通信ネットワークを介して通信するための通信インターフェースと、
を備え、
前記プロセッサは、前記メモリに格納された命令を実行して、
前記遠隔装置からの、車両識別子および車両位置指標を含むデータを、前記通信インターフェースにおいて受信し、
少なくとも１つの設備を含む物理的地理的領域に関連付けられた仮想地理的境界をそれぞれが有する複数のゾーンを含むゾーンデータレコードへアクセスし、
前記車両位置指標と前記ゾーンデータレコードとに基づき、事前設定期間の間、前記ゾーンデータレコードの或るゾーン内に前記車両が位置するか否かを判断し、
前記車両が、前記事前設定期間の間、前記ゾーン内に位置するとの判断に応答して、前記活動が前記１つ又は複数の設備において前記車両により行われたと判断する、
ように構成されている、システム。
【請求項２】
前記事前設定期間は、下側閾値および上側閾値を有する時間範囲を含み、当該時間範囲に入る期間の間、前記車両が前記ゾーン内に位置すると判断された場合に、前記車両が、事前設定期間の間、前記ゾーンデータレコードのゾーン内に位置すると判断される、請求項１に記載のシステム。
【請求項３】
前記事前設定期間は、車両識別子、前記車両に関するタンクの容量、前記ゾーンデータレコードのゾーン、前記車両に関する運転手の運転手詳細のうちの少なくとも１つに基づく、請求項１又は２に記載のシステム。
【請求項４】
前記ゾーンデータレコードは動的ゾーンマップを含む、請求項１から３のいずれか一項に記載のシステム。
【請求項５】
車両記録が、前記監視システムのデータメモリ内に格納され、前記車両記録は、車両識
別子、運転手識別子、タンク容量、車両制約、運転手障害、運転手詳細、運転手許可位置および運転手行動のうちの少なくとも１つを含む前記車両に関する情報を含む、請求項２から４のいずれか一項に記載のシステム。
【請求項６】
前記設備は、給水栓を含み、前記活動は、給水栓使用を含み、前記活動が行われたとの判断は、前記車両により少なくとも１つの給水栓が使用されたとの判断を含む、請求項１から５のいずれか一項に記載のシステム。
【請求項７】
前記活動は、前記１つ又は複数の設備の中の１つ又は複数の油脂類阻集器からの油脂類の収集を含み、前記活動が行われたとの判断は、前記車両により前記１つ又は複数の設備の中の１つ又は複数の油脂類阻集器からの油脂類が収集されたとの判断を含む、請求項１から５のいずれか一項に記載のシステム。
【請求項８】
前記活動は、前記１つ又は複数の設備の中の１つ又は複数の汚水処理タンクからの廃棄物の収集を含み、前記活動が行われたとの判断は、前記車両により前記１つ又は複数の設備の中の１つ又は複数の汚水処理タンクから廃棄物が収集されたとの判断を含む、請求項１から５のいずれか一項に記載のシステム。
【請求項９】
前記活動は、前記１つ又は複数の設備に関連する下水道からの工場下水の収集を含み、前記活動が行われたとの判断は、前記車両により前記１つ又は複数の設備に関連する下水道から工場下水が収集されたとの判断を含む、請求項１から５のいずれか一項に記載のシステム。
【請求項１０】
前記活動は、前記車両により運ばれるタンク又はタンカーからの、前記１つ又は複数の設備における流体の廃棄又は放出を含み、前記活動が行われたとの判断は、前記車両により運ばれるタンク又はタンカーからの、前記１つ又は複数の設備における流体の廃棄又は放出がなされたことの判断を含む、請求項１から５のいずれか一項に記載のシステム。
【請求項１１】
プログラムメモリとプロセッサとを含む監視システムにより実行される、車両による１つ又は複数の設備における活動を遠隔監視するためのコンピュータ実装方法であって、
前記車両と同一場所に配置された遠隔装置からの、車両識別子と車両位置指標を含むデータを、通信ネットワークを介して、前記監視システムの通信インターフェースにおいて受信する工程と、
少なくとも１つの設備を含む物理的地理的領域に関連付けられた仮想地理的境界にそれぞれが対応する複数のゾーンを含むゾーンデータレコードへアクセスする工程と、
前記車両位置指標と前記ゾーンデータレコードとの比較に基づいて、事前設定期間の間、前記ゾーンデータレコードのゾーン内に前記車両が位置するか否かを判断する工程と、
前記車両が、前記事前設定期間の間、前記ゾーン内に位置するとの判断に応答して、前記活動が、前記１つ又は複数の設備において前記車両により行われたと判断する工程と、を含む方法。
【請求項１２】
事前設定期間の間、前記ゾーンデータレコードのゾーン内に前記車両が位置するか否かを判断する工程は、前記車両が前記ゾーン内で費やした時間を判断する工程と、判断された時間と前記事前設定期間とを比較する工程とを含む、請求項１１に記載の方法。
【請求項１３】
前記車両が前記ゾーン内で費やした時間を判断する工程は、前記ゾーンデータレコードのゾーン内に前記車両が位置するとの判断に応答してタイマを開始する工程と、前記ゾーン内に前記車両がもはや位置していないとの判断に応答して前記タイマを停止する工程とを含む、請求項１２に記載の方法。
【請求項１４】
課金アクションを推進する工程をさらに含む、請求項１１から１３のいずれか一項に記載の方法。
【請求項１５】
タンク充填イベントおよび／又はタンク放出イベントが発生したか否かを問い合わせるために前記車両に関連するコンピュータ装置へメッセージを送信する工程と、
前記タンク充填イベントおよび／又は前記タンク放出イベントが発生しなかった旨の前記コンピュータ装置からの応答の受信に応答して、前記車両に関連づけられたデータレコード内に前記応答を記録する工程と、
をさらに含む、請求項１１から１４のいずれか一項に記載の方法。
【請求項１６】
タンク充填イベントおよび／又はタンク放出イベントが発生したか否かを問い合わせるために前記車両に関連するコンピュータ装置へメッセージを送信する工程と、
タンク充填イベントおよび／又はタンク放出イベントが発生しなかった旨の前記コンピュータ装置からの応答を所定期間内に受信しなかったことに応答して、課金アクションを推進する工程と、
をさらに含む、請求項１１から１４のいずれか一項に記載の方法。
【請求項１７】
前記遠隔装置からのタンク充填イベント信号および／又はタンク放出イベント信号の受信に応答して、その時点における前記遠隔装置の前記位置識別子を、前記ゾーンデータレコードのゾーン内に含まれるべき位置の、潜在的に肯定的な表示として記録する工程を、さらに含む、請求項１１から１６のいずれか一項に記載の方法。
【請求項１８】
前記ゾーン内に前記監視装置が位置するとの判断に応答して、前記車両により運ばれているタンクのバルブ制御機構へ命令を発行して、前記バルブ制御機構に前記タンクのバルブをオープンさせて流体の前記タンクへの又はそれからの運搬を可能とする工程と、
前記ゾーン内に前記監視装置がもはや位置しないとの判断に応答して、前記バルブ制御機構へ命令を発行して、前記バルブ制御機構に前記タンクの前記バルブをクローズさせて流体の前記タンクへの又はそれからの運搬を禁止する工程と、
をさらに含む、請求項１１から１７のいずれか一項に記載の方法。
【請求項１９】
前記ゾーン内に前記監視装置が位置するとの判断に応答して、前記１つ又は複数の設備の機構へ命令を発行し、流体の前記１つ又は複数の設備への又はそれからの運搬が可能なように前記機構にロック解除させる工程と、
前記監視装置がもはや前記ゾーン内に位置しないとの判断に応答して、前記機構へ命令を発行し、流体の前記１つ又は複数の設備への又はそれからの運搬が禁止されるように前記機構にロックさせる工程と、
をさらに含む、請求項１１から１８のいずれか一項に記載の方法。
【請求項２０】
コンピュータシステムにおいて実行されると、当該コンピュータシステムに請求項１１から１９のいずれか一項に記載の方法の工程を行わせるのに有効なコンピュータ実行可能命令により符号化された非一時的コンピュータ可読媒体を含むコンピュータプログラムプロダクト。